(57)【要約】本発明は、導光板から出射される光の輝度ムラを防止ないし抑制することができる照明装置を提供することを目的とする。本発明に係るバックライト装置２４は、ＬＥＤユニット３２と、側面に入光面２０ａを有する導光板２０と、底板２２ａの表面にＬＥＤユニット３２と導光板２０とを収容するバックライトシャーシ２２とを備えている。ＬＥＤユニット３２は、導光板２０の入光面２０ａと対向して配されている。バックライトシャーシ２２は、底板２２ａの表面に突設された位置決めピン４０を有し、導光板２０は、位置決めピン４０と対向する位置に凹状の嵌合部３８を有し、位置決めピン４０は嵌合部３８に嵌合されている。位置決めピン４０の側面には、この側面を貫通する貫通孔４０ａが設けられている。
2011148696.tif 000002
【特許請求の範囲】
【請求項１】
光源と、
側面に入光面を有し、前記光源から前記入光面に入射した光を導光する導光板と、
底板と、該底板の周縁から該底板の第１主面側に立ち上がる側板と、を有し、前記底板の前記第１主面側に前記光源と前記導光板とを収容する収容部材と、を備え、
前記光源は、前記導光板の前記入光面と対向して配され、
前記収容部材は、前記底板の前記第１主面側に突設された突起部を有し、
前記導光板は、前記突起部と対向する位置に凹状又は該導光板を貫通する孔状に設けられた嵌合部を有し、
前記突起部が前記嵌合部に嵌合され、
前記突起部は、該突起部の側面を貫通する貫通孔を有することを特徴とする照明装置。
【請求項２】
前記貫通孔は、その開口が該貫通孔に最も近い前記光源側を向くように設けられていることを特徴とする請求項１に記載の照明装置。
【請求項３】
前記導光板と前記収容部材の前記第１主面との間に光を反射する反射シートが配され、
該反射シートは、前記突起部と対向する位置に該反射シートを貫通する反射シート側孔を有し、
前記突起部は、前記反射シートの前記反射シート側孔を貫通して前記嵌合孔に嵌合されていることを特徴とする請求項１又は請求項２に記載の照明装置。
【請求項４】
前記導光板は、その各側面に前記入光面を有し、
複数の前記光源が、前記導光板の前記各側面の前記入光面とそれぞれ対向して配されていることを特徴とする請求項１から請求項３のいずれか１項に記載の照明装置。
【請求項５】
前記突起部は、複数の前記貫通孔を有することを特徴とする請求項１から請求項４のいずれか１項に記載の照明装置。
【請求項６】
前記収容部材の前記底板と前記突起部とが一体成形されていることを特徴とする請求項１から請求項５のいずれか１項に記載の照明装置。
【請求項７】
前記入光面は長手状であり、
前記光源と前記導光板との間に、前記入光面の長手方向に沿って反射部材が配されていることを特徴とする請求項１から請求項６のいずれか１項に記載の照明装置。
【請求項８】
請求項１から請求項７のいずれか１項に記載の照明装置からの光を利用して表示を行う表示パネルを備えることを特徴とする表示装置。
【請求項９】
前記表示パネルが液晶を用いた液晶パネルであることを特徴とする請求項８に記載の表示装置。
【請求項１０】
請求項８又は請求項９に記載の表示装置を備えることを特徴とするテレビ受信装置。
【発明の詳細な説明】
【技術分野】
【０００１】
本発明は、照明装置、表示装置及びテレビ受信装置に関する。
【背景技術】
【０００２】
近年、テレビ受信装置をはじめとする画像表示装置の表示素子は、従来のブラウン管から液晶パネルやプラズマディスプレイパネルなどの薄型表示素子を適用した薄型表示装置に移行しつつあり、画像表示装置の薄型化を可能としている。液晶表示装置は、これに用いる液晶パネルが自発光しないため、別途に照明装置としてバックライト装置を必要としている。【０００３】
特許文献１に、光源からの光を導光する導光板を位置決めするための突起部が設けられたバックライト装置が開示されている。このバックライト装置は、光源と、側面に入光面を有する導光板と、光源と導光板とを収容するバックライトシャーシとを備えている。導光板の一部の側面には、一部が面取りされた突起部が設けられており、バックライトシャーシの側板の一部には、突起部に対応する凹部が設けられている。また、光源は、突起部が設けられていない導光板の入光面と対向して配されている。このバックライト装置では、突起部と凹部とが嵌合されることによりバックライトシャーシに対して導光板が位置決めされる。さらに、突起部が面取りされていることにより、突起部の側面で複数回反射して導光板に入射する光が減少され、突起部の近傍に発生する輝度ムラが防止される。
【先行技術文献】
【特許文献】
【０００４】
【特許文献１】特開２００５−３０２４８５号公報
【０００５】
（発明が解決しようとする課題）
しかしながら、特許文献１のバックライト装置では、突起部が設けられた導光板の入光面に対向して光源を配することができない。
【発明の概要】
【０００６】
本発明は、上記の課題に鑑みて創作されたものである。本発明は、導光板の位置決め構造を設けた場合であっても、導光板の任意の入光面に対向して光源を配することができ、かつ、導光板から出射される光の輝度ムラを防止ないし抑制することができるバックライト装置を提供することを目的とする。
【０００７】
（課題を解決するための手段）
本明細書で開示される技術は、光源と、側面に入光面を有し、前記光源から前記入光面に入射した光を導光する導光板と、底板と、該底板の周縁から該底板の第１主面側に立ち上がる側板と、を有し、前記底板の前記第１主面側に前記光源と前記導光板とを収容する収容部材と、を備え、前記光源は、前記導光板の前記入光面と対向して配され、前記収容部材は、前記底板の前記第１主面側に突設された突起部を有し、前記導光板は、前記突起部と対向する位置に凹状又は該導光板を貫通する孔状に設けられた嵌合部を有し、前記突起部が前記嵌合部に嵌合され、前記突起部は、該突起部の側面を貫通する貫通孔を有する照明装置に関する。
【０００８】
上記の照明装置によると、収容部材の底板に設けられた突起部が導光板に設けられた嵌合部に嵌合されることにより、導光板を収容部材の底板に対して位置決めすることができ、これにより、導光板の側面に設けられた任意の入光面に対向して光源を配することが可能となる。さらに、導光板内において突起部の近傍まで到達した光は突起部に設けられた貫通孔を通過するため、突起部によって光が遮られることを防止ないし抑制することができる。このため、導光板の位置決め構造を設けた場合であっても、導光板の任意の入光面に対向して光源を配することができ、導光板から出射される光の輝度ムラを防止ないし抑制することができる。
【０００９】
前記貫通孔は、その開口が該貫通孔に最も近い前記光源側を向くように設けられていてもよい。
この構成によると、導光板内において突起部の近傍まで到達した光を突起部の貫通孔に通過させ易くすることができる。このため、導光板から出射される光の輝度ムラを一層防止ないし抑制することができる。
【００１０】
前記導光板と前記収容部材の前記第１主面との間に光を反射する反射シートが配され、該反射シートは、前記突起部と対向する位置に該反射シートを貫通する反射シート側孔を有し、前記突起部は、前記反射シートの前記反射シート側孔を貫通して前記嵌合孔に嵌合されていてもよい。
この構成によると、突起部と反射シート側孔とが嵌合されることにより、反射シートを収容部材に対して位置決めすることができる。
【００１１】
前記導光板は、その各側面に前記入光面を有し、複数の前記光源が、前記導光板の前記各側面の前記入光面とそれぞれ対向して配されていてもよい。
この構成によると、光源を導光板の全ての側面に対向して配することができる。
【００１２】
前記突起部は、複数の前記貫通孔を有してもよい。
この構成によると、突起部に複数の貫通孔が設けられることによって突起部の貫通孔を光が通過し易くなるため、突起部によって光が遮られることを一層防止ないし抑制することができる。
【００１３】
前記収容部材の前記底板と前記突起部とが一体成形されていてもよい。
この構成によると、収容部材の製造過程において突起部を製造することができるため、突起部を容易に設けることができる。
【００１４】
前記入光面は長手状であり、前記光源と前記導光板との間に、前記入光面の長手方向に沿って反射部材が配されていてもよい。
この構成によると、光源から導光板の外へ散乱した光を、反射部材によって導光板に入射させることが可能となる。このため、光源から出射された光の、導光板への入射効率を高めることができる。
【００１５】
本明細書で開示される技術は、上記の照明装置からの光を利用して表示を行う表示パネルと、を備える表示装置として表現することもできる。また、当該表示パネルを、液晶を用いた液晶パネルとする表示装置も、新規で有用である。また、上記の表示装置を備えるテレビ受信装置も、新規で有用である。上記の表示装置およびテレビによると、表示領域の大面積化を実現することが可能となる。
【００１６】
（発明の効果）
本明細書で開示される技術によれば、導光板の位置決め構造を設けた場合であっても、導光板の任意の入光面に対向して光源を配することができ、かつ、導光板から出射される光の輝度ムラを防止ないし抑制することができる照明装置を提供することができる。
【図面の簡単な説明】
【００１７】
【図１】実施形態１に係るテレビ受信装置ＴＶの分解斜視図を示す。
【図２】液晶表示装置１０の分解斜視図を示す。
【図３】液晶表示装置１０の断面図を示す。
【図４】導光板２０とＬＥＤユニット３２とを表側から視た平面図を示す。
【図５】位置決めピン４０を拡大した斜視図を示す。
【図６】実施形態２に係る液晶表示装置１１０の分解斜視図を示す。
【図７】液晶表示装置１１０の断面図を示す。
【図８】導光板１２０とＬＥＤユニット１３２とを表側から視た平面図を示す。
【図９】実施形態３に係るバックライト装置に設けられた位置決めピン２４０を拡大した斜視図を示す。
【図１０】実施形態４に係るバックライト装置に設けられた位置決めピン３４０を拡大した斜視図を示す。
【図１１】実施形態５に係るバックライト装置に設けられた位置決めピン４４０を拡大した斜視図を示す。
【図１２】実施形態６に係るバックライト装置に設けられた位置決めピン５４０を拡大した斜視図を示す。
【発明を実施するための形態】
【００１８】
＜実施形態１＞
図面を参照して実施形態１を説明する。なお、各図面の一部にはＸ軸、Ｙ軸およびＺ軸を示しており、各軸方向が各図面で共通した方向となるように描かれている。このうちＹ軸方向は、鉛直方向と一致し、Ｘ軸方向は、水平方向と一致している。また、特に断りがない限りは、上下の記載については鉛直方向を基準とする。
【００１９】
図１は、第１実施例に係るテレビ受信装置ＴＶの分解斜視図を示している。図１に示すように、テレビ受信装置ＴＶは、液晶表示装置１０と、当該液晶表示装置１０を挟むようにして収容する表裏両キャビネットＣａ、Ｃｂと、電源Ｐと、チューナーＴと、スタンドＳと、を備えている。
【００２０】
図２は、液晶表示装置１０の分解斜視図を示している。図３は、液晶表示装置１０の断面図を示している。ここで、図２及ぶ図３に示す上側を表側とし、同図下側を裏側とする。図２に示すように、液晶表示装置１０は、全体として横長の方形を成し、表示パネルである液晶パネル１６と、外部光源であるバックライト装置２４とを備え、これらが枠状をなすベゼル１２などにより一体的に保持されるようになっている。
【００２１】
続いて、液晶パネル１６について説明する。液晶パネル１６は、透明な（高い透光性を有する）一対のガラス基板が所定のギャップを隔てた状態で貼り合わせられるとともに、両ガラス基板間に液晶層（図示しない）が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。このうち、ソース配線、ゲート配線および対向電極などには、図示しない駆動回路基板から画像を表示するのに必要な画像データや各種制御信号が供給されるようになっている。なお、両ガラス基板の外側には偏光板（図示しない）が配されている。
【００２２】
続いて、バックライト装置２４について説明する。図２に示すように、バックライト装置２４は、バックライトシャーシ２２と、光学部材１８と、フレーム１４とを備えている。バックライトシャーシ２２は、表側（光出射側、液晶パネル１６側）に開口した略箱型をなしている。光学部材１８は、導光板２０の表側（出光面２０ｂ側）に載置されている。フレーム１４は、枠状をなしており、内縁に沿って液晶パネル１６を支持している。
【００２３】
バックライトシャーシ２２内には、ＬＥＤ（Light Emitting Diode）ユニット３２と、反射シート２６と、導光板２０とが収容されている。ＬＥＤユニット３２は、バックライトシャーシ２２の各長辺側外縁（側板）２２ｂ、２２ｃに配されており、光を出射する。導光板２０の長手方向側面（入光面）２０ａはＬＥＤユニット３２と対向する位置に配されており、当該ＬＥＤユニット３２から出射される光を液晶パネル１６側へ導く。そして、この導光板２０の表側に光学部材１８が載置されている。本実施形態に係るバックライト装置２４では、導光板２０および光学部材１８が液晶パネル１６の直下に配されていると共に光源であるＬＥＤユニット３２が導光板２０の側端部に配されてなる、いわゆるエッジライト方式（サイドライト方式）を採用している。
【００２４】
バックライトシャーシ２２は、例えばアルミ系材料などの金属製とされ、平面視矩形状をなす底板２２ａと、底板２２ａの両長辺および両短辺の各外縁からそれぞれ表側へ立ち上がる側板２２ｂ，２２ｃと、から構成されている。バックライトシャーシ２２内においてＬＥＤユニット３２と対向する空間が、導光板２０用の収容空間となっている。
【００２５】
反射シート２６は、バックライトシャーシ２２の底板２２ａの表側に載置されている。反射シート２６は、その表側に反射面を有し、この反射面が導光板２０の裏面２０ｃと対向しており、ＬＥＤユニット３２，３２から漏れた光を反射させることで光を導光板２０の裏面２０ｃに入射させる役割を果たしている。なお、底板２２ａの裏側には、ＬＥＤユニット３２に電力を供給する電源回路基板（図示しない）等が取り付けられている。
【００２６】
導光板２０は、矩形状の板状部材とされ、アクリル等の透光性の大きい（透明度の高い）樹脂により形成されており、バックライトシャーシ２２によって支持されている。導光板２０は、図２に示すように、ＬＥＤユニット２６とバックライトシャーシ２２の一方の側板２２ｃとの間に、主板面である出光面２０ｂを拡散シート１８ａ側に向ける形で配されている。このような導光板２０が配設されることにより、ＬＥＤユニット２６から生じた光は、導光板２０の入光面２０ａから入射して拡散シート１８ａと対向する出光面２０ｂから出射することで、液晶パネル１６をその背面側から照射する。
【００２７】
バックライトシャーシ２２の底板２２ａの表側には、複数の位置決めピン４０が導光板２０の裏面２０ｃに向かって突設されている。そして、反射シート２６には、位置決めピン４０と対向する位置に、位置決めピン４０が貫通する大きさの複数の反射シート側孔３９（図３参照）が設けられている。また、導光板２０の裏面２０ｃには、位置決めピン４０と対向する位置に、凹状の複数の嵌合部３８が設けられている。位置決めピン４０は、反射シート側孔３９を貫通しており、これにより、反射シート２６がバックライトシャーシ２２に対して位置決めされている。さらに、位置決めピン４０は反射シート側孔３９ａを貫通して導光板２０の裏面２０ｃに設けられた嵌合部３８に嵌合されており、これにより、導光板２０がバックライトシャーシ２２に対して位置決めされている。
【００２８】
光学部材１８は、導光板２０側から順に、拡散シート１８ａ、レンズシート１８ｂ、反射型偏光板１８ｃが積層されたものである。拡散シート１８ａ、レンズシート１８ｂ、反射型偏光板１８ｃは、ＬＥＤユニット３２から出射され、導光板２０を通過した光を面状の光とする機能を有している。反射型偏光板１８ｃの上面側には液晶パネル１６が設置されており、光学部材１８は導光板２０と液晶パネル１６との間に配されている。
【００２９】
ＬＥＤユニット３２は、樹脂製の矩形状を成すＬＥＤ基板３０に、白色発光するＬＥＤ光源２８が一列に並んだ構成となっている。ＬＥＤ基板３０は、バックライトシャーシ２２の側板２２ｂ、２２ｃに、ビス留め等により固定されている。なお、ＬＥＤ光源２８は、青色発光素子に、黄色の領域に発光ピークを持つ蛍光体を塗布することにより白色発光するものとしたものであってもよい。また、青色発光素子に、緑色と赤色の領域にそれぞれ発光ピークを持つ蛍光体を塗布することにより白色発光するものとしたものであってもよい。また、青色発光素子に、緑色の領域に発光ピークを持つ蛍光体を塗布すると共に、赤色発光素子を組み合わせることにより白色発光するものとしたものであってもよい。また、ＬＥＤ光源２８は、青色発光素子と、緑色発光素子と、赤色発光素子と、を組み合わせることにより白色発光するものとしたものであってもよい。また、紫外光発光素子と、蛍光体と、を組み合わせたものであってもよい。特に、紫外光発光素子に、青色と緑色と赤色にそれぞれ発光ピークを持つ蛍光体を塗布することにより白色発光するものとしたものであってもよい。
【００３０】
続いて、位置決めピン４０の配置及び形態について説明する。図４は、導光板２０とＬＥＤユニット３２とを表側から視た平面図を示している。また、図５は、位置決めピン４０を拡大した斜視図を示している。
【００３１】
バックライトシャーシ２２の底板２２ａには、図４に示すように、８つの位置決めピン４０が設けられており、バックライトシャーシ２２の底板２２ａの各長辺側に３つずつ、各短辺側に１つずつそれぞれ配されている。そして、導光板２０には、これらの位置決めピン４０に対向する位置に８つの嵌合部３８が設けられている。
【００３２】
位置決めピン４０は、図５に示すように、円柱状を成している。そして、位置決めピン４０の側面４０ａには、この側面４０ａを貫通する貫通孔４２が設けられている。貫通孔４２は、バックライトシャーシ２２の底板２２ａと平行な方向に沿って設けられている。また、貫通孔４２は、その開口４２ａが貫通孔４２に最も近いＬＥＤ光源２８側を向くように設けられている。なお、貫通孔４２は、光が通過し易いように、その開口４２ａの直径Ｗ２が位置決めピン４０の頂面の半径Ｗ１に比して大きいことが望ましい。また、位置決めピン４０の底面は、バックライトシャーシ２２の底板２２ａに対して接着され、固定されている。
【００３３】
さて、バックライト装置２４において、ＬＥＤ光源２８が点灯されると、ＬＥＤ光源２８からの光が導光板２０の入光面２０ａから導光板２０に入光する。導光板２０に入光した光が位置決めピン４０の近傍まで到達すると、その光は位置決めピン４０に設けられた貫通孔４２を通過する。このため、位置決めピン４０の近傍において、位置決めピン４０で光が遮られることによって影が発生することを防止ないし抑制することができる。
【００３４】
以上のように本実施形態に係るバックライト装置２４では、バックライトシャーシ２２の底板２２ａに設けられた位置決めピン４０が導光板２０に設けられた嵌合部３８に嵌合されることにより、導光板２０をバックライトシャーシ２２の底板２２ａに対して位置決めすることができ、これにより、導光板２０の側面に設けられた任意の入光面２０ａに対向してＬＥＤユニット３２を配することが可能となる。さらに、導光板２０内において位置決めピン４０の近傍まで到達した光は位置決めピン４０の貫通孔４２を通過するため、位置決めピン４０によって光が遮られることを防止ないし抑制することができる。このため、導光板２０の位置決め構造を設けた場合であっても、導光板２０の任意の入光面２０ａに対向してＬＥＤユニット３２を配することができ、導光板２０から出射される光の輝度ムラを防止ないし抑制することができる。
【００３５】
また、本実施形態に係るバックライト装置２４では、貫通孔４２が、その開口４２ａがこの貫通孔４２に最も近いＬＥＤ光源２８を向くように設けられている。このため、導光板２０内において位置決めピン４０の近傍まで到達した光を位置決めピン４０の貫通孔４２に通過させ易くすることができ、導光板２０から出射される光の輝度ムラを一層防止ないし抑制することができる。
【００３６】
また、本実施形態に係るバックライト装置２４では、導光板２０とバックライトシャーシ２２の表面との間に光を反射する反射シート２６が配されている。そして、この反射シート２６には、位置決めピン４０と対向する位置にこの反射シート２６を貫通する反射シート側孔３９が設けられ、位置決めピン４０は、反射シート２６の反射シート側孔３９を貫通して嵌合孔に嵌合されている。このため、位置決めピン４０と反射シート側孔３９とが嵌合されることにより、反射シート２６をバックライトシャーシ２２に対して位置決めすることができる。
【００３７】
＜実施形態２＞
図面を参照して実施形態２を説明する。図６は、実施形態２に係る液晶表示装置１１０の分解斜視図を示している。また、図７は、液晶表示装置１１０の断面図を示している。ここで、図６に示す上側を表側とし、同図下側を裏側とする。図６に示すように、液晶表示装置１１０は、全体として横長の方形を成し、表示パネルである液晶パネル１１６と、外部光源であるバックライト装置１２４とを備え、これらがトップベゼル１１２ａ、ボトムベゼル１１２ｂ、サイドベゼル１１２ｃ（以下、ベゼル群１１２ａ〜１１２ｃと称する）等により一体的に保持されるようになっている。なお、液晶パネル１１６の構成については、実施形態１のものと同様の構成であるため、説明を省略する。
【００３８】
以下、バックライト装置１２４について説明する。図６に示すように、バックライト装置１２４は、バックライトシャーシ１２２と、光学部材１１８と、トップフレーム１１４ａと、ボトムフレーム１１４ｂと、サイドフレーム１１４ｃと（以下、フレーム群１１４ａ〜１１４ｃと称する）、を備えている。液晶パネル１１６は、ベゼル群１１２ａ〜１１２ｃとフレーム群１１４ａ〜１１４ｃとによって挟持されている。なお、参照符号１１３は、液晶パネル１１６を駆動するための駆動回路基板１１５（図７参照）を絶縁するための絶縁シートである。
【００３９】
バックライトシャーシ１２２は、表側（光出射側、液晶パネル１１６側）に開口し、底板１２２ａを有した略箱型をなしている。光学部材１１８は、導光板１２０の表側に配されている。バックライトシャーシ１２２内には、一対のケーブルホルダ１３１と、一対の放熱板１１９，１１９と、バックライトシャーシ１２２の各長辺方向と各短辺方向にそれぞれ延びる二対のＬＥＤユニット１３２，１３２、１３２，１３２と、反射シート１２６と、導光板１２０とが収容されている。反射シート１２６は、導光板１２０の裏側に配されている。ＬＥＤユニット１３２と導光板１２０と反射シート１２６は、ゴムブッシュ１３３によって互いに支持されている。バックライトシャーシ１２２の裏面には、ＬＥＤユニット１３２に電力を供給する電源回路基板（図示しない）や、当該電源回路基板を保護するための保護カバー１２３等が取り付けられている。一対のケーブルホルダ１３１，１３１は、バックライトシャーシ１２２の短辺方向に沿って配されており、ＬＥＤユニット１３２と電源回路基板との間を電気的に接続する配線を収容する。
【００４０】
バックライトシャーシ１２２は、底面１２２ｚを備える底板１２２ａと、底板１２２ａの外縁から浅く立ち上がる側板１２２ｂ，１２２ｃと、から構成され、ＬＥＤユニット１３２と導光板１２０とを支持している。導光板１２０は、二対のＬＥＤユニット１３２，１３２、１３２，１３２の間に配されている。導光板１２０と光学部材１１８は、フレーム群１１４ａ〜１１４ｃとバックライトシャーシ１２２とによって挟持されている。
【００４１】
放熱板１１９は、底面部１１９ａと、底面部１１９ａの一方の長辺側外縁から立ち上がる側面部１１９ｂと、から構成される水平断面Ｌ字型の形状を成しており、放熱板１１９がバックライトシャーシ１２２の一方の長辺方向に沿うように配されている。放熱板１１９の底面部１１９ａは、バックライトシャーシ１２２の底板１２２ａに固定されている。バックライトシャーシ１２２の各長辺方向に沿って延びている一対のＬＥＤユニット１３２，１３２は、光出射側が導光板１２０の入光面に対向する形で放熱板１１９の側面部１１９ｂに固定されている。従って、バックライトシャーシ１２２の各長辺方向に沿って延びている一対のＬＥＤユニット１３２，１３２は、放熱板１１９を介してバックライトシャーシ１２２の底板１２２ａに支持されている。放熱板１１９は、ＬＥＤユニット１３２に発生した熱を、バックライトシャーシ１２２の底板１２２ａを介してバックライト装置１２４の外部へ放熱する。
【００４２】
導光板１２０は、各側面に入光面を有し、図７に示すように、各ＬＥＤユニット１３２の間に配されている。ＬＥＤユニット１３２と導光板１２０と光学部材１１８は、フレーム群１１４ａ〜１１４ｃとバックライトシャーシ１２２とによって挟持されている。また、ボトムフレーム１１４ｂの表側には、駆動回路基板１１５が配されている。駆動回路基板１１５は、表示パネル１１６と電気的に接続されており、画像を表示するのに必要な画像データや各種制御信号を液晶パネル１１６に供給する。また、導光板１２０は長手状をなしており、ボトムフレーム１１４ｂの表面であってバックライトシャーシ１２２の各長辺方向に配されたＬＥＤユニット１３２と対向する部位には、導光板１２０の長辺方向（Ｙ軸方向）に沿って反射部材１３４ａが配されている。バックライトシャーシ１２２の底面１２２ｚであってバックライトシャーシ１２２の各長辺方向に配されたＬＥＤユニット１３２と対向する部位にも、導光板１２０の長辺方向に沿って反射部材１３４ｂが配されている。なお、導光板１２０の構成、光学部材１１８の構成及びＬＥＤユニット１３２の構成については、実施形態１のものと同様の構成であるため、説明を省略する。
【００４３】
バックライトシャーシ１２２の底板１２２ａには、複数の位置決めピン１４０が設けられている。複数の位置決めピン１４０は、バックライトシャーシ１２２の底板１２２ａと一体成形されている。反射シート１２６には、複数の反射シート側孔１３９が設けられている。位置決めピン１４０及び反射シート側孔１３９の配置及び形態については実施形態１のものと同様であるため、説明を省略する。また、導光板１２０の裏面には、位置決めピン１４０と対向する位置に、導光板１２０を貫通する複数の嵌合部１３８が設けられている。位置決めピン１４０は、反射シート側孔１３９を貫通しており、これにより、反射シート１２６がバックライトシャーシ１２２に対して位置決めされている。さらに、位置決めピン１４０は、反射シート側孔１３９ａを貫通して導光板１２０に設けられた嵌合部１３８を貫通しており、これにより、導光板１２０がバックライトシャーシ１２２に対して位置決めされている。
【００４４】
以上のように実施形態２に係るバックライト装置１２４では、導光板１２０の各側面に入光面１２０ａが設けられ、複数のＬＥＤユニット１３２が、導光板１２０の各側面の入光面とそれぞれ対向して配されている。これにより、ＬＥＤユニット１３２が導光板１２０の全ての側面に対向して配されたバックライト装置１２４が実現される。
【００４５】
また、実施形態２に係るバックライト装置１２４では、バックライトシャーシ１２２の底板１２２ａと位置決めピン１４０とが一体成形されている。このため、バックライトシャーシ１２２の製造過程において位置決めピン１４０を製造することができ、位置決めピン１４０を容易に設けることができる。
【００４６】
また、実施形態２に係るバックライト装置１２４では、入光面１２０ａが長手状であり、ＬＥＤユニット１３２と導光板１２０との間に、入光面の長手方向に沿って反射部材１３４ａ、１３４ｂが配されている。このため、ＬＥＤユニット１３２から導光板１２０の外へ散乱した光を、反射部材１３４ａ、１３４ｂによって導光板１２０に入射させることが可能となる。このため、ＬＥＤユニット１３２から出射された光の、導光板１２０への入射効率を高めることができる。
【００４７】
＜実施形態３＞
図面を参照して実施形態３を説明する。図９は、実施形態３に係るバックライト装置に設けられた位置決めピンを拡大した斜視図であり、実施形態１における図５と対応する図を示している。実施形態３は、位置決めピン２４０に設けられた貫通孔２４２、２４４の数及び配置が実施形態１のものと異なっている。その他の構成については実施形態１と同じであるため、構造、作用、および効果の説明は省略する。なお、図９において、図５の参照符号に数字２００を加えた部位は、実施形態１で説明した部位と同一である。
【００４８】
実施形態３に係るバックライト装置では、位置決めピン２４０の側面に２つの貫通孔が設けられている。２つの貫通孔２４２、２４４は、貫通孔２４２、２４４の中央部近傍において互いに直交しており、各貫通孔２４２、２４４の開口２４２ａ、２４４ａは互いに直交する方向（図９の矢印Ａ方向及び矢印Ｂ方向）を向いている。このため、例えば、ＬＥＤユニットが導光板の長辺方向と短辺方向とにそれぞれ配された場合であって、導光板の角部近傍に設けられた嵌合部に位置決めピン２４０が嵌合された場合、長辺方向に配されたＬＥＤユニットからの光と短辺方向に配されたＬＥＤユニットからの光の両方を各貫通孔２４２、２４４に通過し易くすることができる。
【００４９】
＜実施形態４＞
図面を参照して実施形態４を説明する。図１０は、実施形態４に係るバックライト装置に設けられた位置決めピン３４０を拡大した斜視図であり、実施形態１における図５と対応する図を示している。実施形態４は、位置決めピン３４０に設けられた貫通孔３４２、３４４、３４６の数及び配置が実施形態１のものと異なっている。その他の構成については実施形態１と同じであるため、構造、作用、および効果の説明は省略する。なお、図１０において、図５の参照符号に数字３００を加えた部位は、実施形態１で説明した部位と同一である。
【００５０】
実施形態４に係るバックライト装置では、位置決めピン３４０の側面に３つの貫通孔３４２、３４４、３４６が設けられている。３つの貫通孔３４２、３４４、３４６は、位置決めピン３４０の高さ方向に沿ってそれぞれ設けられ、各貫通孔３４２、３４４、３４６の開口はそれぞれ異なる方向を向いている。このように位置決めピン３４０に３つの貫通孔３４２、３４４、３４６が設けられていることにより、位置決めピン３４０の貫通孔３４２、３４４、３４６を光が通過し易くすることができる。
【００５１】
＜実施形態５＞
図面を参照して実施形態５を説明する。図１１は、実施形態５に係るバックライト装置に設けられた位置決めピン４４０を拡大した斜視図であり、実施形態１における図５と対応する図を示している。実施形態５は、位置決めピン４４０に設けられた貫通孔３４２、３４４、３４６の開口３４２ａ、３４４ａ、４３６ａが実施形態４のものと異なっている。その他の構成については実施形態４と同じであるため、構造、作用、および効果の説明は省略する。なお、図１１において、図５の参照符号に数字４００を加えた部位は、実施形態１で説明した部位と同一である。
【００５２】
実施形態５に係るバックライト装置では、位置決めピン４４０の側面に設けられた３つの貫通孔４４２、４４４、４４６の開口４４２ａ、４４４ａ、４４６ａの大きさがそれぞれ異なっている。開口４４２ａ、４４４ａ、４４６ａの大きさは、３つの貫通孔４４２、４４４、４４６のうち一番上側に設けられた貫通孔４４２の開口４４２ａが最も大きく、下側に向かうにつれて（貫通孔４４４の開口４４４ａ、貫通孔４４６の開口４４６ａの順に）小さくなっている。このように、例えば、各開口４４２ａ、４４４ａ、４４６ａと各開口４４２ａ、４４４ａ、４４６ａが向けられたＬＥＤ光源との距離に応じて開口４４２ａ、４４４ａ、４４６ａの大きさを調整することもできる。
【００５３】
＜実施形態６＞
図面を参照して実施形態５を説明する。図１２は、実施形態６に係るバックライト装置に設けられた位置決めピン５４０を拡大した斜視図であり、実施形態１における図５と対応する図を示している。実施形態６は、位置決めピン５４０に設けられた貫通孔５４０及び貫通孔５４０の開口５４０ａの形状が実施形態１のものと異なっている。その他の構成については実施形態１と同じであるため、構造、作用、および効果の説明は省略する。なお、図１２において、図５の参照符号に数字５００を加えた部位は、実施形態１で説明した部位と同一である。
【００５４】
実施形態６に係るバックライト装置では、位置決めピン５４０の側面に設けられた貫通孔５４２の開口５４２ａが矩形状を成すように、貫通孔５４２及び貫通孔の開口５４２ａが設けられている。貫通孔５４２及び貫通孔５４２の開口５４２ａがこのような形状であっても、位置決めピン５４０の近傍まで到達した光を貫通孔５４２に通過させることができ、位置決めピン５４０によって光が遮られることを防止ないし抑制することができる。
【００５５】
各実施形態の構成と本発明の構成との対応関係を記載しておく。ＬＥＤ光源２８、１２８が「光源」の一例である。また、バックライトシャーシ２２、１２２が「収容部材」の一例である。また、バックライト装置２４、１２４が「照明装置」の一例である。位置決めピン４０、１４０、２４０、３４０、４４０、５４０が「突起部」の一例である。
【００５６】
上記の各実施形態の変形例を以下に列挙する。
（１）上記の各実施形態では、光源として面状光源であるＬＥＤ光源を採用した構成を示したが、光源として例えば放電管等の線状光源を採用した構成としてもよい。
【００５７】
（２）上記の各実施形態以外にも、位置決めピンの形状、数及び配置については、適宜に変更可能である。
【００５８】
（３）上記の各実施形態以外にも、位置決めピンにおける貫通孔の形状、数及び配置については、適宜に変更可能である。
【００５９】
（４）上記の各実施形態では、表示パネルとして液晶パネルを用いた液晶表示装置を例示したが、他の種類の表示パネルを用いた表示装置にも本発明は適用可能である。
【００６０】
（５）上記の各実施形態では、チューナーを備えたテレビ受信装置を例示したが、チューナーを備えない表示装置にも本発明は適用可能である。
【００６１】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。
【００６２】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００６３】
ＴＶ：テレビ受信装置、Ｃａ、Ｃｂ：キャビネット、Ｔ：チューナー、Ｓ：スタンド、１０、１１０：液晶表示装置、１２：ベゼル、１４：フレーム、１６、１１６：液晶パネル、１８、１１８、光学部材、１８ａ：拡散シート、１８ｂ：レンズシート、１８ｃ：反射型偏光板、２０、１２０：導光板、２０ａ、１２０ａ：入光面、２０ｂ、１２０ｂ：（導光板の）表面、２０ｃ、１２０ｃ：（導光板の）裏面、２２、１２２：バックライトシャーシ、２２ａ、１２２ａ、２２２ａ、３２２ａ、４２２ａ、５２２ａ：底板、２２ｂ、２２ｃ、１２２ｂ、１２２ｃ：側板、２４、１２４：バックライト装置、２６、１２６：反射シート、２８、１２８：ＬＥＤ光源、３０、１３０：ＬＥＤ基板、３２、１３２：ＬＥＤユニット、３８、１３８：嵌合部、３９、１３９：反射シート側孔、４０、１４０、２４０、３４０、４４０、５４０：位置決めピン、４２、１４２、２４２、３４２、３４４、３４６、４４２、４４４、４４６、５４２：貫通孔、４２ａ、４４２ａ、４４４ａ、４４６ａ、５４２ａ、５４４ａ、５４６ａ：（貫通孔の）開口、１１２ａ：トップベゼル、１１２ｂ：ボトムベゼル、１１２ｃ：サイドベゼル、１１３：絶縁シート、１１４ａ：トップフレーム、１１４ｂ：ボトムフレーム、１１４ｃ：サイドフレーム、１１５：駆動回路基板、１１９：放熱板、１１９ａ：底面部、１１９ｂ：側面部、１２３：保護カバー、１３１：ケーブルホルダ、１３４ａ、１３４ｂ：反射部材
【図１】
2011148696.tif 000003
【図２】
2011148696.tif 000004
【図３】
2011148696.tif 000005
【図４】
2011148696.tif 000006
【図５】
2011148696.tif 000007
【図６】
2011148696.tif 000008
【図７】
2011148696.tif 000009
【図８】
2011148696.tif 000010
【図９】
2011148696.tif 000011
【図１０】
2011148696.tif 000012
【図１１】
2011148696.tif 000013
【図１２】
2011148696.tif 000014
【国際調査報告】
2011148696.tif 000015
2011148696.tif 000016